(57)【要約】【課題】設置が容易で、かつ、安定的にディスプレイ具を支持することができる支持具を提供する。【解決手段】端面側１ａから他端面側１ｂにかけて軸Ａ方向に漸次縮径して延びる逆円錐台穴１０を有する固定手段１と、固定手段１の逆円錐台穴１０に嵌合する逆円錐台面部２０および逆円錐台面部２０に連通して固定手段１の逆円錐台穴１０の端面側１ａ側から突出して成る突出部２１を有する支持手段２と、支持手段２の逆円錐台面部２０と固定手段１の逆円錐台穴１０との間の軸方向の上下に所望の距離を隔てて形成された環状の弾力性を有する上シール部材２２が上側に下シール部材２３が下側にそれぞれ介在され、固定手段１に対して支持手段２が着脱可能に形成されているものである。【選択図】図１
2008045712.tif 000002
【特許請求の範囲】
【請求項１】
端面側から他端面側にかけて軸方向に漸次縮径して延びる逆円錐台穴を有する固定手段と、上記固定手段の逆円錐台穴に嵌合する逆円錐台面部および上記逆円錐台面部に連通して上記固定手段の逆円錐台穴の端面側から突出して成る突出部を有する支持手段と、上記支持手段の逆円錐台面部と上記固定手段の逆円錐台穴との間の軸方向の上下に所望の距離を隔てて形成された環状の弾力性を有する上シール部材が上側に下シール部材が下側にそれぞれ介在され、上記固定手段に対して上記支持手段が着脱可能に形成されていることを特徴とする支持具。
【請求項２】
上記上シール部材および上記下シール部材は、上記支持手段の逆円錐台面部の軸方向の上下に所望の距離を隔てて環状に形成された上側の上溝部および下側の下溝部にそれぞれ装着されていることを特徴とする請求項１に記載の支持具。
【請求項３】
上記上下シール部材はゴム材にて成ることを特徴とする請求項１または請求項２に記載の支持具。
【請求項４】
上記逆円錐台穴の穴側面の軸方向の傾きを３°±１°としたことを特徴とする請求項１ないし請求項３のいずれかに記載の支持具。
【請求項５】
上記固定手段および上記支持手段は金属材にて成ることを特徴とする請求項１ないし請求項４のいずれかに記載の支持具。
【請求項６】
上記支持具の上記固定手段の逆円錐台穴の端面側が外部に開口するように床または壁面に固定し、上記固定手段の逆円錐台穴に上記支持手段の逆円錐台面部を挿入することを特徴とする請求項１ないし請求項５に記載の支持具の使用方法。
【請求項７】
上記支持具を上記床または壁面に複数個設置することを特徴とする請求項６に記載の支持具の使用方法。
【請求項８】
上記支持具の突出部に嵌合するパイプ材にて成る脚部を有するディスプレイ具を、上記支持具の突出部に上記脚部を固着させて設置することを特徴とする請求項６または請求項７に記載の支持具の使用方法。
【発明の詳細な説明】
【技術分野】
【０００１】
この発明は、設置が容易で、かつ、安定的にディスプレイ具を支持することができる支持具および支持具の使用方法に関するものである。
【背景技術】
【０００２】
従来の支持具は、支柱に脚部を備え、支柱の上部にマネキンなどを設置しているものであった。
【０００３】
【特許文献１】特開２００３−３２２２９４号公報
【発明の開示】
【発明が解決しようとする課題】
【０００４】
従来の支持具は、容易に移動することができるものの、設置が不安定なため支柱がこけたりしてディスプレイとして不具合が生じるという問題点があった。
【０００５】
この発明は上記のような課題を解決するためになされたものであり、設置が容易で、かつ、安定的にディスプレイ具を支持することができる支持具および支持具の使用方法を提供することを目的とする。
【課題を解決するための手段】
【０００６】
この発明は、端面側から他端面側にかけて軸方向に漸次縮径して延びる逆円錐台穴を有する固定手段と、固定手段の逆円錐台穴に嵌合する逆円錐台面部および逆円錐台面部に連通して固定手段の逆円錐台穴の端面側から突出して成る突出部を有する支持手段と、支持手段の逆円錐台面部と固定手段の逆円錐台穴との間の軸方向の上下に所望の距離を隔てて形成された環状の弾力性を有する上シール部材が上側に下シール部材が下側にそれぞれ介在され、固定手段に対して支持手段が着脱可能に形成されているものである。
【発明の効果】
【０００７】
この発明の支持具は、端面側から他端面側にかけて軸方向に漸次縮径して延びる逆円錐台穴を有する固定手段と、固定手段の逆円錐台穴に嵌合する逆円錐台面部および逆円錐台面部に連通して固定手段の逆円錐台穴の端面側から突出して成る突出部を有する支持手段と、支持手段の逆円錐台面部と固定手段の逆円錐台穴との間の軸方向の上下に所望の距離を隔てて形成された環状の弾力性を有する上シール部材が上側に下シール部材が下側にそれぞれ介在され、固定手段に対して支持手段が着脱可能に形成されているので、固定手段に支持手段が上下シール部材を介して嵌合し、安定的に突出部を支持することができる。
【発明を実施するための最良の形態】
【０００８】
実施の形態１．
以下、本願発明の実施の形態について説明する。図１はこの発明における実施の形態１の支持具の構成を示す断面図、図２は図１に示した支持具の平面図、正面図、底面図を示した図、図３は図１に示した支持具の固定手段の正面図および断面図を示した図、図４は図１に示した支持具の支持手段の各シール部材装着前と装着後との構成を示す正面図、図５は図１に示した支持具を使用する際に用いる固定具の構成を示す平面図、正面図、底面図および断面図を示した図、図６ないし図１０は図１に示した支持具の使用方法を説明する図である。
【０００９】
図において、支持具１００は固定手段１と、支持手段２とにて構成されている。そして、固定手段１は、端面側１ａから他端面側１ｂにかけて軸Ａ方向に漸次縮径して延びる逆円錐台穴１０を有する。この逆円錐台穴１０の上部には所望距離分の例えば６ｍｍの高さ分の円柱穴１０ａが形成されている。さらに、逆円錐台穴１０の穴側面の軸Ａ方向の傾きθ（平行移動した軸Ａ’と穴側面とのなす角、図３（ｂ）参照）は３°にて形成されている。この傾きθは、３°±１°程度が適当である。これは、この傾きが大きくすぎても小さすぎても固定手段１と支持手段２とのがたつきを防止する機能が低減するためである。具体的には、逆円錐台穴１０は、その端面側１ａの径が例えば２２．４ｍｍにて他端面側１ｂの径が例えば１７．６ｍｍにて形成されている。さらに、固定手段１は、外観が円柱にて成り下部にはねじ山１１が形成されている径が例えば３０ｍｍにて成る胴部１ｃと、この胴部１ｃの径より大きい径で、例えば径が３４ｍｍにて成るつば部１ｄとにて構成されている。
【００１０】
そして、支持手段２は、固定手段１の逆円錐台穴１０に嵌合する逆円錐台面部２０および逆円錐台面部２０に連通して固定手段１の逆円錐台穴１０の端面側１ａから突出して例えば円柱にて成る突出部２１を有する。この逆円錐台面部２０の上部には所望距離分の例えば５ｍｍの高さ分の円柱面部２０ａを有する。この突出部２１の径は、逆円錐台面部２０の上端の径より小さく形成されている。これは、固定手段１に支持手段２を装着した場合、逆円錐台面部２０のみを固定手段１の逆円錐台穴１０に挿入すればよいため、逆円錐台面部２０と突出部２１との径が異なることにより挿入の目安と成るためである。例えば、ここでは突出部２１の径を例えば１８．２ｍｍにて、逆円錐台面部２０の上端部の径を例えば２２ｍｍにて形成している。また、突出部２１の長さｈ２は突出部２１に後述するディスプレイ具の脚部が固着可能な程度の長さがあればよい。ここでは長さｈ２は例えば１００ｍｍにて形成されている。また、突出部２１を円柱にて形成する例を示したがこれに限られることはなく、角柱などにて形成することも可能であることは言うまでもない。但し、後述するディスプレイ具の脚部の固着が容易な形状で有ることが望ましい。
【００１１】
そして、支持手段２の逆円錐台面部２０と固定手段１の逆円錐台穴１０との間の軸Ａ方向の上下に所望の距離ｈ１を隔てて形成された環状の弾力性を有する上シール部材２２が上側に下シール部材２３が下側にそれぞれ介在され、固定手段１に対して支持手段２が脱着可能に形成されている。この所望の距離ｈ１とは、長すぎても短かすぎても固定手段１と支持手段２とのがたつきを防止する機能が低減する。しかしながら、この距離ｈ１は逆円錐台面部２０の長さＨや、固定手段１および支持手段２の材質や、固定手段１および支持手段２の製作のための精度などにおいて左右されるため、適宜設定する必要がある。例えば、ここでは長さＨは４７ｍｍにて、所望の距離ｈ１は３４．６ｍｍにて形成されている。
【００１２】
ここではこれら上シール部材２２および下シール部材２３は、支持手段２の逆円錐台面部２０の軸Ａ方向の上下に所望の距離を隔てて環状に形成された例えば径が１８ｍｍ、幅が２．４ｍｍにて成る上側の上溝部２４および例えば径が１４ｍｍ、幅が２．４ｍｍにて成る下側の下溝部２５にそれぞれ装着され形成されている。そしてこれら上下シール部材２２、２３は例えば直径２．４ｍｍのゴム材にて成るＯリングにて形成されている。尚、逆円錐台面部２０の面部の軸Ａ方向の傾きは、逆円錐台穴１０の穴側面の軸Ａ方向の傾きθと同様に形成されている。尚、上シール部材２２および下シール部材２３は環状全てに形成する例を示したが、これに限られることはなく、環状全てに形成されていなくとも必要な部分のみに設置する場合、例えば環状を２分割し分割した箇所に若干の隙間を形成して設置する方法なども考えられる。その場合、それらシール部材を装着するための各溝部は、環状全て、または、環状を２分割して形成する方法など、それらシール部材の形状に合わせて形成することが可能であることは言うまでもない。
【００１３】
そして、これら支持具１を使用する場合に床４や壁面１２などに固着させる際に用いる固定具３で、支持具１の固定手段１の胴部１ｃを挿入可能な開口部３０を有し、この開口部３０の内側壁には固定手段１のねじ山１１を螺合して固定することができるねじ山３１が形成されている。また、固定具３は外観が円柱にて成る胴部３ａとこの胴部３ａの径より大きい径にて成るつば部３ｂとにて成る。そしてつば部３ｂにはピン穴が４箇所形成されている。そして、固定手段１および支持手段２および固定具３は例えば鉄、ステンレス、アルミニウムなどの金属材にて成り、例えば、ダイキャスト、ロストワックス、石膏鋳造、金型鋳造等にて形成することが可能である。
【００１４】
次に上記のように構成された実施の形態１の支持具の使用方法について説明する。まず、ステージ６０の例えば木材にて成る床４に固定手段１の胴部１ｃが挿入可能で、かつ、つば部１ｄが挿入不可能な大きさの床開口４０を形成する（図６（ａ））。次に、この床開口４０の下面側に固定具３のつば部３ｂ側の開口部３０が一致するように配設して、固定具４のつば部３ｂの周囲のピン穴３２を介してピン５を床４に打ち込んで固着する。尚、ここではピン穴３２を介してピン５にて床４に固着する例を示したが、これに限られることはなく、接着など他の方法にて固着してもよいことは言うまでもない（図６（ｂ））。
【００１５】
次に、床開口４０の上面側から固定手段１の胴部１ｃを挿入し、固定手段１の胴部１ｃのねじ山１１を固定具３の開口部３０のねじ山３１に、固定手段１のつば部１ｂが床４に当接するまで螺合して固定する。この際、固定手段１の逆円錐台穴１０の端面側１ａが外部に開口するように固定されることと成る。また、このように固定具３に対して固定手段１をねじ山３１とねじ山１１との螺合により固定しているため、床４の厚みが異なる場合でもある程度の厚みまでは同一の構成にて対応することができる。また、使用しなくなった固定手段１を固定具３から外す場合も容易に行うことができる（図６（ｃ）、図８（ａ））。
【００１６】
次に、支持手段２の突出部２１に、突出部２１に嵌合可能な所望のパイプ材にて成るディスプレイ具としての脚部６を溶接等にて固着して、固定手段１の逆円錐台穴１０にこの脚部６が固着された支持手段２の逆円錐台面部２０を挿入する。尚、ここでは溶接にて突出部２に脚部６を固着する例を示したがこれに限られることはなく、例えばビス穴などを形成してビス止めにて固着する方法も考えられる。また、脚部６にはマネキン７が設置されている。これは着脱可能に形成されていてもよいことは言うまでもない。この際、逆円錐台穴１０と逆円錐台面部２０との嵌合の間には、上シール部材２２および下シール部材２３が介在することと成る。このため、逆円錐台穴１０と逆円錐台面部２０との嵌合により生じる隙間は上シール部材２２および下シール部材２３が圧縮変形することにより吸収されることと成り、がたつきなく嵌合させて装着することが可能と成る。また、逆円錐面穴１０と逆円錐台面部２０とにおいて直接接していない箇所を備えるため、金属面同士が直接接することによる固体固着の摩擦を防止できる。これにより、取り外しの力が極端に強くなることを防止している（図７、図８（ｂ））。
【００１７】
また、使用しない場合には、脚部６が固着された支持手段２を固定手段１から取り外すことにより、図６（ｃ）、図８（ａ）などに示す状態と成り、床４上がほぼフラットな状態にて保つことができる。さらには、支持具１を他の場所にて使用する場合などには、固定手段１を取り外して、図６（ｂ）に示すような状態にすることも可能である。
【００１８】
次に上記のように構成された実施の形態１の支持具の他の使用方法について説明する。例えば図９に示すように床４に複数の床開口４０を形成しておき。その各床開口４０のそれぞれに、または、必要箇所のみに上記場合と同様に固定具３を固着しておく。そして、必要な箇所のみに、支持具１００の固定手段１を設置する。ここでは２箇所に設置する例にて示している（図９（ａ））。次に、支持手段２の突出部２１にディスプレイ具としてのディスプレイ台９を備えたパイプ材にて成る脚部８を溶接などにて固着して、固定手段１に支持手段２を設置する。そして、ディスプレイ台９上にカバンやアクセサリなどディスプレイすることができる（図９（ｂ））。また、取り外しに関しても上記に示した場合と同様に行うことが可能であることは言うまでもない。
【００１９】
次に上記のように構成された実施の形態１の支持具の他の使用方法について説明する。例えば図１０に示すように壁面１２に複数の壁開口１３を形成しておき。その各壁開口１３のそれぞれに、または、必要箇所のみに軸の方向は異なるものの上記場合と同様に固定具３を固着しておく。そして、必要な箇所のみに、支持具１００の固定手段１およびディスプレイ具２００の脚部２００ａが溶接などにて突出部２１に固着された支持手段２を設置する。また、取り外しに関しても上記に示した場合と同様に行うことが可能であることは言うまでもない。そしてこのディスプレイ具２００には突部２００ｂが形成されておりハンガーなどを吊して利用することができる（図１０（ｂ））。また、複数の設置が可能であることも言うまでもない。尚、このように本発明の支持具の軸を水平方向として使用する場合、上溝部２４および上シール部材２２の上とは、固定手段１の突出部２１側を指し、下溝部２５および下シール部材２３の下とは、固定手段１の突出部２１と相反する側を指し、使用方法によっては必ずしも鉛直方向に対する上下の関係とは異なる場合が存在する。
【００２０】
上記のように構成された実施の形態１の支持具によれば、逆円錐台穴と逆円錐台面部との嵌合により生じる隙間は上シール部材および下シール部材が圧縮変形することにより吸収されているため、固定手段に支持手段を装着した際のがたつきが減少し安定的に、かつ、着脱および設置を容易に行うことができる。また、逆円錐台穴と逆円錐台面部との製作において極めて精度の高い製作を行えば、各シール部材を配設していなくとも逆円錐台穴と逆円錐台面部との嵌合の生じる隙間は生じることなくがたつき無く装着することは可能である。しなしながらその場合、金属面同士が直接接することとなり固体固着の摩擦が生じる。そしてこれにより、取り外しの力が極端に強くなったり、または、取り外しが不可能となったり、さらに製作が高コストとなる。しかしながら、本願発明の場合には、各シール部材が介しているため、逆円錐台穴と逆円錐台面部との製作において若干の精度誤差が生じてもよく、容易にかつ安価に形成することが可能となる。また、ディスプレイ具など使用しない場合には突起物が存在しないような状態に容易にかつ敏速に戻すことができ、美観的および作業性に大変優れている。また、床開口または壁開口さえ形成されていれば、支持具を設置場所を容易に変更することも可能である。
【００２１】
尚、上記実施の形態１においては、支持手段２の逆円錐台面部２０と固定手段１の逆円錐台穴１０との間の軸Ａ方向の上下に所望の距離を隔てて形成された環状の弾力性を有する上シール部材および下シール部材を支持手段に形成する例を示したが、これに限られることはなく、固定手段１の逆円錐台穴１０の穴側面に軸Ａ方向の上下に所望の距離を隔てて上溝部および下溝部を形成して、その各溝部に各シール部材を配設して形成すれば、各シール部材の装着が逆円錐台穴１０内と成るため装着は困難と成るものの、他の点おいては上記実施の形態１と同様の効果を奏することが可能であることは言うまでもない。
【００２２】
また、各部の大きさは製作において使用が行い易いと考えられる一例を示したものでありこれに限られることはなく、適宜設定することにより、上記実施の形態１と同様の効果を奏することができることは言うまでもない。また、支持手段２の突出部２１にディスプレイ具としての脚部６などを固着する例を示したが、これに限られることはなく、突出部自体をディスプレイ具の脚部と兼用可能な構成してもよい。但し、その場合はディスプレイ具の所望な形状毎に突出部の形状を変えて形成する必要があるため合理的ではない。
【図面の簡単な説明】
【００２３】
【図１】この発明における実施の形態１の支持具の構成を示す断面図である。
【図２】図１に示した支持具の平面図、正面図、底面図を示した図である。
【図３】図１に示した支持具の固定手段の正面図および断面図を示した図である。
【図４】図１に示した支持具の支持手段の各シール部材装着前と装着後との構成を示す正面図である。
【図５】図１に示した支持具を使用する際に用いる固定具の構成を示す平面図、正面図、底面図および断面図を示した図である。
【図６】図１に示した支持具の使用方法を説明する図である。
【図７】図１に示した支持具の使用方法を説明する図である。
【図８】図１に示した支持具の使用方法を説明する図である。
【図９】図１に示した支持具の使用方法を説明する図である。
【図１０】図１に示した支持具の使用方法を説明する図である。
【符号の説明】
【００２４】
１  固定手段、１ａ  端面側、１ｂ  他端面側、２  支持手段、４  床、
６，８，２００ａ  脚部、１０  逆円錐台穴、１２  壁面、１３  壁開口、
２０  逆円錐台面部、２１  突出部、２２  上シール部材、２３  下シール部材、
２４  上溝部、２５  下溝部、４０  床開口、１００  支持具、
２００  ディスプレイ具。
【図１】
2008045712.tif 000003
【図２】
2008045712.tif 000004
【図３】
2008045712.tif 000005
【図４】
2008045712.tif 000006
【図５】
2008045712.tif 000007
【図６】
2008045712.tif 000008
【図７】
2008045712.tif 000009
【図８】
2008045712.tif 000010
【図９】
2008045712.tif 000011
【図１０】
2008045712.tif 000012